(57)【要約】【課題】盗犯企図者が外部から存在と機能を見破ることができないため、防盗性が一段と向上した自動販売機用不正開扉防止装置を提供する。【解決手段】扉を筐体に対して回転自在に軸支するヒンジに近接して筐体の側板部内面に固着される受金板と、前記ヒンジに近接して前記扉の側板部内面に固着される係止板とからなり、閉扉位置において前記受金板と前記係止板を互いに係合させ、前記ヒンジのヒンジ軸に沿った方向への前記扉の押し上げ移動を阻止する。前記係止板に前記受金板に向かってＵ字状に開口した受溝を形成し、該受溝に係合する方向にバネ部材によって受金板を回転付勢することができる。【選択図】図２
2006107042.tif 000002
【特許請求の範囲】
【請求項１】
扉を筐体に対して回転自在に軸支するヒンジに近接して筐体の側板部内面に固着される受金板と、前記ヒンジに近接して前記扉の側板部内面に固着される係止板とからなり、閉扉位置において前記受金板と前記係止板を互いに係合させ、前記ヒンジのヒンジ軸に沿った方向への前記扉の押し上げ移動を阻止するようにした自動販売機用不正開扉防止装置。
【請求項２】
前記係止板に前記受金板に向かってＵ字状に開口した受溝を形成し、前記受金板を前記受溝に係合させることによって、前記扉の押し上げ移動及び押し下げ移動を阻止するようにしたことを特徴とする請求項１に記載の不正開扉防止装置。
【請求項３】
前記受金板を前記ヒンジ軸と平行な枢軸によって前記筐体の前記側板部内面に回転自在に軸支し、前記受金板と前記筐体側との間に装備したバネ部材によって、前記受金板を前記係止板に向かって回転付勢したことを特徴とする請求項１または請求項２に記載の不正開扉防止装置。
【発明の詳細な説明】
【技術分野】
【０００１】
本発明は、扉が無権限者によって不正に開放され、筐体内部の売上金や商品が窃取されないようにする自動販売機用不正開扉防止装置に関する。
【背景技術】
【０００２】
自動販売機の筐体の前面開口部を閉塞する扉は、扉の吊元側端部の上面部と筐体の天板部との間に設けた上位ヒンジと、扉の吊元側端部の下面部と筐体の底板部との間に設けた下位ヒンジによって、筐体に回転自在に軸支されており、上位ヒンジ及び下位ヒンジとしてはピボット型ヒンジが一般に使用されている（特許文献１の従来技術の項参照）。
【０００３】
しかし、このようにピボット型ヒンジを使用した自動販売機では、筐体の底板部と扉の下面部の隙間にバールなどの工具を挿入して扉を無理やりに押し上げ、ヒンジ軸を軸受孔から抜脱して筐体に対する扉の連結を解除し、扉を不正に開放してしまう盗犯者がいる。
【０００４】
このような盗犯行為への対策として、ピボット型ヒンジのヒンジ板の外方端縁に防御部を屈曲形成することによって、ヒンジ軸へのアクセスを防止することが提案されているが（特許文献１）、該防御部は自動販売機の外部に露出しているため、盗犯企図者によって存在と機能を容易に見破られてしまい、該防御部を切断したり、真直ぐに折り返すなどの対抗措置が講じられることになった。
【０００５】
【特許文献１】特開２００４−３８３７３号公報
【発明の開示】
【発明が解決しようとする課題】
【０００６】
本発明は、盗犯企図者が外部から存在と機能を見破ることができないため、防盗性が一段と向上した自動販売機用不正開扉防止装置を提供することである。
【課題を解決するための手段】
【０００７】
請求項１の発明の不正開扉防止装置は、扉を筐体に対して回転自在に軸支するヒンジに近接して筐体の側板部内面に固着される受金板と、前記ヒンジに近接して前記扉の側板部内面に固着される係止板とからなり、閉扉位置において前記受金板と前記係止板を互いに係合させ、前記ヒンジのヒンジ軸に沿った方向への前記扉の押し上げ移動を阻止する。
【０００８】
請求項２の発明の不正開扉防止装置は、請求項１の発明の前記構成に加えて、前記係止板に前記受金板に向かってＵ字状に開口した受溝を形成し、前記受金板を前記受溝に係合させることによって、前記扉の押し上げ移動及び押し下げ移動を阻止する。
【０００９】
請求項３の発明の不正開扉防止装置は、請求項１または請求項２の発明の前記構成に加えて、前記受金板を前記ヒンジ軸と平行な枢軸によって前記筐体の前記側板部内面に回転自在に軸支し、前記受金板と前記筐体側との間に装備したバネ部材によって、前記受金板を前記係止板に向かって回転付勢する。
【発明の効果】
【００１０】
請求項１の発明では、閉扉位置において前記受金板と前記係止板を互いに係合させることによって、前記ヒンジ軸に沿った方向への前記扉の押し上げ移動を阻止し、前記ヒンジ軸が軸受孔から抜脱するのを阻止するのであるが、前記受金板が前記ヒンジに近接して筐体の側板部内面に固着される一方、前記係止板が前記ヒンジに近接して前記扉の側板部内面に固着されるため、盗犯企図者は自動販売機の外部からは不正開扉防止装置の存在と機能を見破ることができない。そのため、不正開扉防止装置が破壊されたり、部分的歪曲変形させられて防盗性を喪失することがなく、高い防盗性を永続的に維持することができる。
【００１１】
請求項２の発明では、前記係止板のＵ字状の受溝に前記受金板が係合するため、前記扉の押し上げ移動と押し下げ移動はいずれも的確に阻止され、防盗性が一段と向上する。
【００１２】
請求項３の発明では、前記ヒンジ軸と平行な枢軸によって前記受金板を筐体の側板部に回転自在に軸支し、バネ部材によって前記受金板を前記係止板に向かって回転付勢したため、前記受金板と前記係止板の装着位置に多少の誤差が存在しても、当該誤差を吸収して前記受金板と前記係止板が必ず係合することになり、施工管理が簡便化される。
また、前記扉の側板部付近の状態に応じて、前記受金板との係合不成立という機能障害を発生する怖れなく、前記係止板の装着位置を一定範囲内で調節することができるため、扉厚や内部構成が異なる多数種類の扉に無理なく適用できるという汎用性がある。
【実施例】
【００１３】
図示の実施例では、受金板１、係止板２及び枢軸３といった各構成部品は、金属材料によって機械的強度高く製作されている。
扉４を吊元側端部６において筐体５に対して回転自在に軸支する上位ヒンジ７と下位ヒンジ８は、いずれもピボット型ヒンジで構成されている。扉４の吊元側端部６の上面部に内蔵された上位ヒンジ７のヒンジ軸９は、筐体５の天板部１０に固着したヒンジ板１１の軸受孔１２に挿入されている。扉４の吊元側端部の下面部に内蔵された下位ヒンジ８のヒンジ軸１３は、筐体５の底板部１６に固着されたヒンジ板１４の軸受孔１５に挿入されている。
扉４は吊元側端部６とは反対側の端部１７に装備した扉用ロックハンドル装置１８によって、閉扉位置に錠止される。
【００１４】
請求項１の発明では、受金板１は下位ヒンジ８のヒンジ軸１３に近接して配置され、筐体５の側板部１９の内面に固着されるが、請求項２の発明では、受金板１はヒンジ軸１３の長さ方向に沿って移動しないように装着される。
すなわち、前記側板部１９にベース板２０が溶接等によって固着され、ベース板２０の端部に形成した上下一対の軸筒部２１，２２の間に、受金板１の端部に形成した軸筒部２３が嵌合され、これら軸筒部２１，２２，２３に枢軸３を嵌挿することによって、受金板１は筐体５側に装着されている。受金板１は筐体５の側板部１９に対して起伏回転可能であり、前記ヒンジ軸１３の長さ方向には移動不能である。そのため、扉４は工具３０によるヒンジ軸１３の長さ方向に沿った押し上げ移動を阻止される。
【００１５】
前記枢軸３には捻りコイルバネよりなるバネ部材２４のコイル部２５が嵌合され、該コイル部２５は受金板１側の軸筒部２３とベース板２０側の軸筒部２２の間の空所に収容されている。バネ部材２４の一方の直線端部２６は受金板１の腹面に当接し、他方の直線端部２７はベース板２０の腹面に当接しており、受金板１は係止板２に向かって回転付勢されている。
【００１６】
係止板２は下位ヒンジ８のヒンジ軸１３に近接して配置され、溶接等によって扉４の側板部２９の内面に固着されている。係止板２の先端側翼部２ａは側板部２９に対して傾斜して突出しており、請求項１の発明では、該先端側翼部２は受金板１の上側に配置される。このように受金板１と係止板２が上下に係合することによって、扉４は工具３０によるヒンジ軸１３の長さ方向に沿った押し上げ移動を阻止される。
【００１７】
請求項３の発明では、係止板２の先端側翼部２ａにはＵ字状の受溝２８が形成されており、該受溝２８の上側の縁辺部２８ａが受金板１に係合することによって、扉４はヒンジ軸１３の長さ方向に沿った押し上げ移動を阻止され、また、該受溝２８の下側の縁辺部２８ｂが受金板１に係合することによって、扉４は工具３０によるヒンジ軸１３の長さ方向に沿った押し下げ移動を阻止される。
【００１８】
図示の実施例では、前記バネ部材２４の回転付勢によって、受金板１は閉扉位置と開扉位置間のいずれの開度状態においても、係止板２の受溝２４と常に係合している。そのため、開扉過程で何らかの原因によって扉４に上下方向の撹乱外力が働いても、ヒンジ軸９やヒンジ軸１３がそれぞれの軸受孔１２，１５から抜け出ることがなく、安定した姿勢を保って開閉される。扉４の開閉操作に当たっては、前記した扉用ハンドル装置１８が使用される。
【図面の簡単な説明】
【００１９】
【図１】本発明の一実施例に係る不正開扉防止装置を装備した自動販売機の正面図である。
【図２】図１のＡ−Ａ線断面図である。
【図３】図１の不正開扉防止装置を構成する受金板の正面図である。
【図４】図１の不正開扉防止装置を構成する係止板の正面図である。
【符号の説明】
【００２０】
１    受金板
２    係止板
３    枢軸
４    扉
５    筐体
６    扉の吊元側端部
７    上位ヒンジ
８    下位ヒンジ
９    ヒンジ軸
１０  筐体の天板部
１２  軸受孔
１３  ヒンジ軸
１５  軸受孔
１６  筐体の底板部
１８  扉用ロックハンドル装置
１９  筐体の側板部
２０  ベース板
２１  ベース板の軸筒部
２２  ベース板の軸筒部
２３  受金板の軸筒部
２４  バネ部材
２８  係止板の受溝
２９  扉の側板部
【図１】
2006107042.tif 000003
【図２】
2006107042.tif 000004
【図３】
2006107042.tif 000005
【図４】
2006107042.tif 000006